(57)【要約】【課題】スポットライトとフラッドライトとが一体化され、小型化および薄型化可能な照明装置を提供する。【解決手段】照明装置は、スポット照明部と、フラッド照明部と、制御部と、を有する。スポット照明部は、 第１の照明光を放出する。スポット照明部は、第１のレーザー光を放出する第１の光源と、導入された前記第１のレーザー光を出射面から放出する第１の導光体と、を有する。フラッド照明部は、スポット照明部を囲むように設けられ、第１の照明光の出射方向に沿って第２の照明光を放出する。フラッド照明部は、第２のレーザー光を放出する第２の光源と、導入された第２のレーザー光を出射面から放出する第２の導光体と、を有する。制御部は、スポット照明部とフラッド照明部とをそれぞれ駆動可能である。第２の照明光の配光角は、第１の照明光の配光角よりも広い。【選択図】図１
2013131438.tif 000002
【特許請求の範囲】
【請求項１】
第１の照明光を放出するスポット照明部であって、第１のレーザー光を放出する第１の光源と、導入された前記第１のレーザー光を出射面から放出する第１の導光体と、を有するスポット照明部と、
前記スポット照明部を囲むように設けられ、前記第１の照明光の出射方向に沿って第２の照明光を放出するフラッド照明部であって、第２のレーザー光を放出する第２の光源と、導入された前記第２のレーザー光を出射面から放出する第２の導光体と、を有するフラッド照明部と、
前記スポット照明部と前記フラッド照明部とをそれぞれ駆動可能な制御部と、
を備え、
前記第２の照明光の配光角は、前記第１の照明光の配光角よりも広い照明装置。
【請求項２】
前記第１の導光体は、底面と前記底面とは反対の側に設けられた出射面と前記第１のレーザー光の光軸と交差する傾斜面とを有し、前記底面の側から導入され導光された前記第１のレーザー光を前記出射面から放出し、
前記第２の導光体は、前記第２のレーザー光が入射可能な入射部と、前記第２のレーザー光が入射可能な側面と、底面と、前記底面とは反対の側に設けられた出射面と、を有し、導入され導光された前記第２のレーザー光を前記出射面から放出する請求項１記載の照明装置。
【請求項３】
前記第１の導光体の前記底面の側に設けられた金属放熱部と、
前記金属放熱部と、前記第１の導光体の前記底面と、の間に設けられ、前記第１のレーザー光を吸収し第１の波長変換光を放出する第１の蛍光体層と、
前記第２の導光体の前記底面の側に設けられ、前記第２のレーザー光を吸収し第２の波長変換光を放出する第２の蛍光体層と、
をさらに備えた請求項２記載の照明装置。
【請求項４】
前記第１の導光体の前記傾斜面は、前記第１の導光体の外縁の側に設けられ、前記第１のレーザー光を前記第１の導光体の内側に向けて反射し、
前記第１のレーザー光は、前記第１の導光体の前記底面の中心に関して点対称となる位置から導入される請求項２または３に記載の照明装置。
【請求項５】
前記スポット照明部は、前記第１のレーザー光を反射して前記第１の照明光として放出する第１のリフレクタをさらに有する請求項１記載の照明装置。
【請求項６】
前記フラッド照明部は、前記第２のレーザー光を反射して前記第２の照明光として放出する第２のリフレクタをさらに有する請求項１または５に記載の照明装置。
【請求項７】
前記制御部は、前記第１の照明光と前記第２の照明光との発光強度を変化して配光特性を制御する請求項１〜６のいずれか１つに記載の照明装置。
【発明の詳細な説明】
【技術分野】
【０００１】
本発明の実施形態は、照明装置に関する。
【背景技術】
【０００２】
半導体発光素子をアレイ状に配置すると、舞台やスタジオの床面などを全体的に照明可能なフラッド照明灯や局所的に照明可能なスポット照明灯を実現できる。
【０００３】
このような照明装置は、白熱電球を用いた照明装置よりも消費電力の低減や長寿命とすることが容易である。
【０００４】
しかしながら、発光素子からの光は広がりが大きいので集光光学系が大型となる問題がある。このため、フラッド照明光と、スポット照明光と、の両方を放出可能な照明装置を実現することは容易ではない。
【先行技術文献】
【特許文献】
【０００５】
【特許文献１】特開２００７−５２９５７号公報
【発明の概要】
【発明が解決しようとする課題】
【０００６】
スポット照明灯とフラッド照明灯とが一体化され、小型、薄型、かつ放熱性が改善された照明装置を提供する。  
【課題を解決するための手段】
【０００７】
実施形態の照明装置は、スポット照明部と、フラッド照明部と、制御部と、を有する。スポット照明部は、 第１の照明光を放出する。スポット照明部は、第１のレーザー光を放出する第１の光源と、導入された前記第１のレーザー光を出射面から放出する第１の導光体と、を有する。フラッド照明部は、スポット照明部を囲むように設けられ、第１の照明光の出射方向に沿って第２の照明光を放出する。フラッド照明部は、第２のレーザー光を放出する第２の光源と、導入された第２のレーザー光を出射面から放出する第２の導光体と、を有する。制御部は、スポット照明部とフラッド照明部とをそれぞれ駆動可能である。第２の照明光の配光角は、第１の照明光の配光角よりも広い。
【発明の効果】
【０００８】
スポット照明灯とフラッド照明灯とが一体化され、小型、薄型、かつ放熱性が改善された照明装置が提供される。  
【図面の簡単な説明】
【０００９】
【図１】第１の実施形態にかかる照明装置の模式斜視図である。
【図２】図２（ａ）は照明装置の発光部の構成を示す模式斜視図、図２（ｂ）は制御部を説明するブロック図、である。
【図３】スポット照明部２０の構成を示す模式断面図である。
【図４】図４（ａ）は第１の導光体の模式平面図、図４（ｂ）はＡ−Ａ線に沿った模式断面図、である。
【図５】図５（ａ）は第１の導光体の第１変形例の模式平面図、図５（ｂ）はＢ−Ｂ線に沿った模式断面図、図５（ｃ）は第１の導光体の第２変形例の模式断面図、図５（ｄ）は第１の導光体の第３変形例の模式断面図、図５（ｅ）は第１の導光体の第４変形例の模式断面図、である。
【図６】図６（ａ）は第１の照明光の光線追跡を示す模式図、図６（ｂ）は照度分布を示すグラフ図、である。
【図７】フラッド照明部４０の構成を示す模式斜視図である。
【図８】図８（ａ）は第２の照明光の光線追跡を示す模式図、図８（ｂ）は照度分布を示すグラフ図、である。
【図９】図９（ａ）は導光発光部の第１変形例の模式断面図、図９（ｂ）はその第２変形例の模式断面図、図９（ｃ）はその第３変形例の模式断面図、である。
【図１０】図１０（ａ）は第２の導光体の第１変形例の模式斜視図、図１０（ｂ）は第２の導光体の第２変形例の模式平面図、である。
【図１１】第２の実施形態にかかる照明装置の模式断面図である。
【図１２】第３の実施形態にかかる照明装置の模式断面図である。
【図１３】第４の実施形態にかかる照明装置の模式断面図である。
【図１４】スポット照明光とフラッド照明光との合成光の照度分布を示すグラフ図である。
【発明を実施するための形態】
【００１０】
以下、図面を参照しつつ、本発明の実施の形態について説明する。
図１は、第１の実施形態にかかる照明装置の模式斜視図である。
照明装置は、スポット照明部２０と、フラッド照明部４０と、制御部６０と、を有している。
【００１１】
第１の照明光を放出するスポット照明部２０は、第１のレーザー光源２２と、第１の導光体と、光学部と、を有する。第１のレーザー光源２２は、窒化物系半導体レーザー素子からなるものとすると、紫外〜青色波長範囲の第１のレーザー光を放出する。また、ＩｎＧａＡｌＰ、ＡｌＧａＡｓなどからなるものとすると、緑〜赤色波長範囲のレーザー光を放出する。
【００１２】
第２の照明光を放出するフラッド照明部４０は、第２のレーザー光源４２と、第２の導光体と、を有する。
【００１３】
制御部６０は、制御信号Ｓ１を第１の光源２２へ向けて出力し、スポット照明部２０を駆動する。また、制御部６０は、制御信号Ｓ２を第２の光源４２へ向けて出力し、フラッド照明部４０を駆動する。
【００１４】
図２（ａ）は照明装置の発光部の構成を示す模式斜視図、図２（ｂ）は制御部を説明するブロック図、である。
図２（ａ）のように、フラッド照明部４０は、スポット照明部２０を囲むように配設される。スポット照明部２０からの第１の照明光Ｇ１は、照明装置の光軸１０に沿って放出される。また、フラッド照明部４０からの第２の照明光Ｇ２も、第１の照明光Ｇ１よりも広がりつつ、光軸１０に沿って放出される。すなわち、第２の照明光Ｇ２の配光角は、第１の照明光の配光角よりも広い。
【００１５】
第１の光源２２は、ＡＰＣ（Automatic  Power Control)回路と、第１の半導体レーザー素子と、を含む。図２（ｂ）のように、制御部６０には、使用条件に対応した入力信号Ｓｉｎが入力される。制御部６０からは、制御信号Ｓ１が第１の光源２２に向けて出力される。ＡＰＣ回路は、制御信号Ｓ１に応じて、第１の半導体レーザー素子を駆動する。すなわち、制御信号Ｓ１は、オン、オフ、所望の光出力Ｐ１、となるように、第１の半導体レーザー素子を制御する。
【００１６】
第２の光源４２は、ＡＰＣ回路と、第２の半導体レーザー素子と、を含む。また、制御部６０からは、制御信号Ｓ２が第２の光源４２に向けて出力される。ＡＰＣ回路は、制御信号Ｓ２に応じて、第２の半導体レーザー素子を駆動する。すなわち、制御信号Ｓ２は、オン、オフ、所望の光出力Ｐ２、となるように、第２の半導体レーザー素子を制御する。このようにすると、第１の照明光Ｇ１および第２の照明光Ｇ２のいずれかへの切り替えだけではなく、所望の照度分布となるように合成が可能となる。
【００１７】
図３は、スポット照明部２０の構成を示す模式断面図である。
スポット照明部２０は、第１のレーザー光２２ａ、２２ｃ、などを第１の導光体２４へ導入する光ファイバー２３（２３ａ、２３ｂ、２３ｃ、２３ｄ）、第１の蛍光体層２８ａ、および金属放熱部（ヒートシンク）２６をさらに有することができる。
【００１８】
第１のレーザー光２２は、１つの半導体レーザー素子からの放出光を分割してもよいし、光学特性が揃った４つの半導体レーザー素子からのそれぞれの放出光であってもよい。なお、スポット照明部２０のうち、照射レンズ３０ｂを除いた破線部分を、導光発光部２９とする。
【００１９】
レーザー光の発光点のサイズは、たとえば、発光層の厚さ方向に１μｍ以下、発光層の水平方向に１０μｍ近傍であり、ＬＥＤと比較して小さい。また、半導体レーザー素子の発光層に対して垂直方向の半値全角θｖが、３０〜４０度の範囲、水平方向の半値全角θｈが略１０度、などであり鋭い指向性を有する。このため、第１のレーザー光は効率よく第１の導光体２４へ入射する。
【００２０】
図４（ａ）は第１の導光体の模式平面図、図４（ｂ）はＡ−Ａ線に沿った模式断面図、である。
第１の導光体２４は、底面２４ａと、底面２４ａとは反対の側に設けられた出射面２４ｄと、第１のレーザー光の光軸と交差する傾斜面２４ｃと、を有する。第１のレーザー光は、底面２４ａの側から導入され傾斜面２４ｃで反射され、一部の第１のレーザー光は、導光体２４内で拡散され、波長変換されずに出射面２４ｄから放出される。また、他の一部の第１のレーザー光はさらに出射面２４ｄで反射され、第１の蛍光体層２８ａに導光され、第１の蛍光体層２８ａでより長い波長光に変換され、出射面２４ｄから第１の照明光Ｇ１として放出される。なお、第１の導光体２４への入射位置が底面２４ａの中心ＯＢに関して点対称であると、第１の照明光Ｇ１の照度分布を点対称に近づけることができる。第１の導光体２０は、たとえば、ガラスや透明樹脂からなるものとすることができる。この場合、光ファイバー２３と第１の導光体２４の底面２４ａとを、直接接触させることができる。または、第１の導光体２４と同じ材料からなる中間部を設け、中間部と第１の導光体２４とを溶着してもよい。
【００２１】
第１の蛍光体層２８ａのサイズは、出射面２４ｄのサイズよりも小さくてもよい。レーザー光が紫外〜青色光波長範囲であると、波長変換光として、たとえば黄色、緑色、および赤色などの光を放出できる。波長変換光と散乱したレーザー光との混合光として、たとえば白色光を得ることができる。
【００２２】
第１の蛍光体層２８ａはレーザー光を吸収し発熱する。金属放熱部２６の表面に、たとえば硫酸バリウムなどの高反射材を設け、その上に蛍光体層２８を設けると、効率よく発生熱を排出できる。なお、第１の蛍光体層２８ａの代わりに、例えば第１のレーザー光を拡散させる拡散材などを設けることもできる。
【００２３】
図５（ａ）は第１の導光体の第１変形例の模式平面図、図５（ｂ）はＢ−Ｂ線に沿ったその模式断面図、図５（ｃ）は第１の導光体の第２変形例の模式断面図、図５（ｄ）は第１の導光体の第３変形例の模式断面図、図５（ｅ）は第１の導光体の第４変形例の模式断面図、である。
図５（ａ）、（ｂ）において、第１の導光体２４の断面を矩形とすると、その側面２４ｅにおいて反射を生じ、第１のレーザー光をより遠くまで導光することができる。
【００２４】
図５（ｃ）に示す第２変形例のように、光ファイバー２３ｂ、２３ｄは、第１の導光体２４の底面２４ａに対して、直交していなくともよい。この場合、光ファイバー２３ｂ、２３ｄの光軸が、第１の導光体２４の傾斜面２４ｃと交差する角度を変化できるので、第１のレーザー光の光路の制御が容易となる。
【００２５】
また、図５（ｄ）に示す第３変形例のように、光ファイバー２３ｂの外周部にフェルール８０を設けると、金属放熱部２６内に配設することが容易となる。なお、光ファイバー２３ｂの代わりに、透明樹脂やガラスからなる導光体とすることができる。
【００２６】
さらに、図５（ｅ）のように、金属放熱部２６と対向する第１の導光体２４の底面の側に凹部２４ｆを設け、第１の蛍光体層２８ａを凹部２４ｆ内に配設してもよい。
【００２７】
また、図３において、光学系３０は、集光レンズ３０ａと、照射レンズ３０ｂと、を、有している。集光レンズ３０ａは、第１の導光体２４の出射面２４ｄのサイズに対応したレンズ径を有し、出射面２４ｄに近接して設けられる。また、照射レンズ３０ｂは、集光レンズ３０ａから離間し、集光レンズ３０ａで集光された第１の照明光Ｇ１をさらに集光する。たとえば、第１の導光体２４と集光レンズ３０ａとの距離、集光レンズと照射レンズ３０ｂとの間の距離、をスライド可能とすると、第１の照明光Ｇ１のフォーカス調整ができる。なお、照射レンズ３０ｂの外径は、たとえば、５０〜５００ｍｍの範囲とすることができる。  
【００２８】
図６（ａ）は第１の照明光の光線追跡を示す模式図、図６（ｂ）は照度分布を示すグラフ図、である。
第１の照明光Ｇ１では、図６（ａ）に２次元的表示に示すように照度分布は略点対称である。図６（ｂ）は、照明装置の出射面から２ｍ離れた断面における照度分布を示すグラフ図である。第１の照明光は、光軸から±４００ｍｍ以内に集光されており、スポット照明光として用いることができる。  
【００２９】
図７は、フラッド照明部４０の構成を示す模式斜視図である。
フラッド照明部４０は、スポット照明部２０を囲むように設けられ、照明装置の光軸１０に沿って第２の照明光Ｇ２を放出する。第２の光源４２は、たとえば、光ファイバー４３ａ、４３ｂ、４３ｃ、４３ｄを介して、第２の導光体４４へ、第２のレーザー光４２ａ、４２ｂ、４２ｃ、４２ｄをそれぞれ導入する。第２のレーザー光は、１つの半導体レーザー素子からの放出光を分割してもよいし、光学特性が揃った４つの半導体レーザー素子からのそれぞれの放出光であってもよい。第２の導光体４４は、リング状でなく、中空枠状であってもよい。
【００３０】
第２の導光体４４は、第２のレーザー光が入射される入射部４４ｄおよび側面４４ａと、底面４４ｃと、底面４４ｃとは反対の側に設けられた出射面４４ｂと、を有する。出射面４４ｂは、入射部４４ｄおよび側面４４ａから導入され、第２の導光体４４内を導光された第２のレーザー光を出射面４４ｂから照明装置の光軸１０に沿って放出する。第２の照明光Ｇ２は、第１の照明光Ｇ１よりも広がったフラッド照明光とする。このため、大きな集光光学系を設けなくともよい。第２の導光体４４は、ガラスや透明樹脂からなるものとすることができる。
【００３１】
第２の導光体４４の外径は、たとえば、７０〜５２０ｍｍとすることができる。また、第２の導光体４４の発光領域となる出射面４４ｂの幅Ｗ１は、たとえば、１０ｍｍなどとすることができる。また、光ファイバー４３ａ、４３ｂ、４３ｃ、４３ｄと接続される入射部４４ｄの幅Ｗ２は、たとえば、２ｍｍなどとできる。入射部４４ｄの大きさは、少なくとも光ファイバー４３ａ、４３ｂ、４３ｃ、４３ｄの外径よりも大きくすることが好ましい。第２の導光体４４の厚さＴは、たとえば、２ｍｍとすることができる。また、第２の導光体４４の断面は、矩形でなくともよく、テーパー状、レンズ状、などとすることにより配光特性を制御することができる。
【００３２】
また、第２の導光体４４の底面４４ｃの側に、支持体を設けることができる。もし、底面４４ｃに第２の蛍光体層２８ｂが配設される場合、支持体は第２の蛍光体層２８ｂの側に設けることができる。支持体を金属などとすると、第２の導光体４４よりも放熱性を高め、かつ光反射率を高めることができるので、より好ましい。なお、たとえば、第２の導光体４４の底面４４ｃの側に、第２の蛍光体層２８ｂを設けると、第２のレーザー光を吸収し、波長変換光を放出することができる。  
【００３３】
図８（ａ）は第２の照明光の光線追跡を示す模式図、図８（ｂ）は照度分布を示すグラフ図、である。
第２の照明光Ｇ２は、図８（ａ）に示すように第１の照明光Ｇ１よりも全体的に大きく広がっている。図８（ｂ）は、照明装置の出射面から２ｍ離れた断面における照度分布を示すグラフ図である。第２の照明光Ｇ２は、光軸から±１４００ｍｍ離れた位置においても、光軸上の照度の略４４％の発光強度を保っている。すなわち、第２の照明光Ｇ２は、全体照明におけるベース照明であるフラッド照明光として用いることができる。
【００３４】
なお、第１の照明光Ｇ１および第２の照明光Ｇ２は、それぞれ、第１のレーザー光、第２のレーザー光をもとに生成されたものである。ただし、第１のレーザー光や第２のレーザー光がそれぞれ直接放出されるものではなく、たとえば、第１の導光体２４内や第２の導光体４４内で十分に拡散され、レーザー光特有のコヒーレント性を有しない状態で放出される。
【００３５】
図９（ａ）はスポット照明部を構成する導光発光部の第１変形例の模式断面図、図９（ｂ）はその第２変形例の模式断面図、図９（ｃ）はその第３変形例の模式断面図、である。
図９（ａ）のように、金属放熱部２６には、凹部２６ａが設けられる。凹部２６ａは、金属ブロックから円錐体を切り取った形状とする。凹部２６ａの内側面２６ｂには第１の蛍光体層２８ａを設けることができる。第１のレーザー光は、内側面２６ａの中間位置において光ファイバー２３から第１の蛍光体層２８ｃへ向けて放出される。金属放熱部２６の表面で反射された波長変換光および第１のレーザー光と、第１の蛍光体層２８ｃから放出された波長変換光と、は、発散しながら導光発光部２９から放出され、照射レンズ３０ｂで集光されつつ第１の照明光Ｇ１として放出される。
【００３６】
この場合、光学系３０は、集光レンズを含まなくともよい。また、図９（ｂ）のように、光ファイバー２３の出射端を内側面２６ａの上端とし、下方の内側面２６ａに向けて光ファイバー２３から放出してもよい。図９（ａ）、（ｂ）において、第１の導光体は凹部２６ａ内の空気層であり、出射面２６は凹部２６ａの上端面である。
【００３７】
図９（ｃ）のように、凹部２６ａ内にガラスや樹脂などの透明体３１を設けてもよい。もし、透明体３１に光拡散材を分散配置すると、レーザー光や波長変換光を散乱して均一な放出光とすることができる。図９（ｃ）において、第１の導光体は透明体３１であり、出射面３１ａは透明体３１の上面である。
【００３８】
図１０（ａ）は第２の導光体の第１変形例の模式斜視図、図１０（ｂ）は第２の導光体の第２変形例の模式平面図、である。
図１０（ａ）のように、第２の導光体４４は、たとえば、複数領域に分割してもよい。本図において、第２の導光体４４は、Ｓ１、Ｓ２、Ｓ３、Ｓ４の４つの領域から構成される。それぞれの領域は、対応するそれぞれの光ファイバーから入射されたレーザー光を導光する。また、第２の導光体４４は、直方体を組み合わせたものであってもよい。さらに、図１０（ｂ）のように、第２の導光体４４の出射面４４ｂに、Ｒ（赤色）発光部、Ｇ（緑色）発光部、Ｂ（青色）発光部、などを設けることができる。このようにすると、フラッド照明部４０により、スポット照明部２０の演色性を補正することができる。
【００３９】
本実施形態において、スポット照明部２０と、フラッド照明部４０と、の駆動をスイッチなどで切り替えることにより第１の照明光Ｇ１と、第２の照明光Ｇ２と、のいずれかを照射することができる。または、要求に応じて、第１の照明光Ｇ１と、第２の照明光Ｇ２と、合成することもできる。
【００４０】
また、スポット照明部２０と第１の光源２２、およびフラッド照明部４０と第２の光源４２とが分離された照明装置とすることで、光源となるスポット照明部２０およびフラッド照明部４０と、熱源となる第１の光源２２および第２の光源４２と、が分離される。このように、光源と熱源とが分離された照明装置は、従来より用いられているハロゲン電球やＬＥＤを用いた照明装置ではなし得ない構成である。また、特に舞台照明に用いられるスポット照明においては、光源と熱源との分離が強く要求される、本実施形態のような照明装置を用いればこの要求に対応することができる。
【００４１】
図１１は、第２の実施形態にかかる照明装置の模式断面図である。
第２の実施形態のスポット照明部２１は、光学部３０の代わりに、ミラーのようなリフレクタ３４を有する反射構造とする。第１の導光体２４から出射された光は、リフレクタ３４により反射され集光されつつ第１の照明光Ｇ１となる。また、フラッド照明部４０は、第１の実施形態と同様であるものとする。リフレクタ３４が金属からなるものとすると、プレス加工などで容易に製造することができる。第２の実施形態の場合、たとえば、リフレクタ３４に囲まれた内部の空気層などを第１の導光体とし、その出射面３４ａをリフレクタの開口端とするものとする。
【００４２】
図１２は、第３の実施形態にかかる照明装置の模式断面図である。
第３の実施形態のフラッド照明部４１は、第２の導光体４４の出射面４４ｂがリフレクタ３５を有する反射構造とする。リフレクタ３５に向かって放出され、リフレクタ３５により反射されつつ発散し、第２の照明光Ｇ２となる。この場合、スポット照明部２０は、第１の実施形態と同じものとする。第３の実施形態の場合、たとえば、リフレクタ３５に囲まれた空気層などを第２の導光体とし、その出射面３５ａをリフレクタ３５の開口端とする。
【００４３】
図１３は、第４の実施形態にかかる照明装置の模式断面図である。
第４の実施形態において、スポット照明部２１およびフラッド照明部４１は、ともに反射構造とする。スポット照明部２１のリフレクタ３４、およびフラッド照明部４１のリフレクタ３５は、プレス加工などにより曲面を形成できるので、照度分布の制御が容易となる。
【００４４】
図１４は、第１の照明光と第２の照明光との合成光の照度分布を示すグラフ図である。
スポット照明光は、図６の第１の照明光Ｇ１（破線）とする。また、フラッド照明光は、たとえば、図８の第２の照明光Ｇ２の発光強度を低下させたものとする（ドット線）。この結果、スポット照明光に、フラッド照明光の発光強度を抑えたベース照明光を重ねることができる。
【００４５】
本実施形態にかかる照明装置は、スポット照明灯とフラッド照明灯とが一体化され、小型化かつ薄型化が容易である。また、光源と発光導光部とが離間しており、放熱が容易である。さらに、広がり角の小さい半導体レーザー光を用いることにより、導光体への入射効率を高め、蛍光体を効率よく励起できる。このため、消費電力を低減し、照明装置の温度上昇を抑制することができる。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
２０、２１  スポット照明部、２２  第１の光源、２３  光ファイバー、２４  第１の導光体、２４ａ  底面、２４ｄ  出射面、２６  金属放熱部、２６ａ  凹部、２６ｂ  内側面、２８ａ、２８ｃ  第１の蛍光体層、２８ｂ  第２の蛍光体層、３０  光学部、３４、３５  リフレクタ、３４ａ、３５ａ  出射面、４０、４１  フラッド照明部、４２  第２の光源、４４  第２の導光体、４４ｂ  出射面、４４ｃ  底面、Ｇ１  第１の照明光、Ｇ２  第２の照明光、ＯＢ  第１の導光体の中心  
【図１】
2013131438.tif 000003
【図２】
2013131438.tif 000004
【図３】
2013131438.tif 000005
【図４】
2013131438.tif 000006
【図５】
2013131438.tif 000007
【図７】
2013131438.tif 000008
【図９】
2013131438.tif 000009
【図１０】
2013131438.tif 000010
【図１１】
2013131438.tif 000011
【図１２】
2013131438.tif 000012
【図１３】
2013131438.tif 000013
【図１４】
2013131438.tif 000014
【図６】
2013131438.tif 000015
【図８】
2013131438.tif 000016